(57)【特許請求の範囲】
【請求項１】
取付対象の互いに交差する第１面及び第２面をそれぞれに覆う第１片部と第２片部とを備えており、
これら第１片部及び第２片部の入隅側となる基端側部位よりも先側部位の裏面には、入隅から先側に向かう方向に間隔を空けてかつ溝長手方向に見て略Ｖ字溝形状とされた複数本の切断補助溝が設けられ、これら第１片部及び第２片部の前記基端側部位の厚さ寸法は、これら基端側部位の裏面に底面が平坦面とされた凹所が設けられて前記先側部位における該切断補助溝間の部位の厚さ寸法よりも小さい寸法とされていることを特徴とするカバー材。
【請求項２】
請求項１において、
前記第１片部及び前記第２片部の各基端部に、前記基端側部位の厚さ寸法よりも厚さ寸法が大とされたコーナー部位が設けられていることを特徴とするカバー材。
【請求項３】
請求項２において、
前記第１片部及び前記第２片部のそれぞれにおける切断補助溝間の部位の裏面と前記コーナー部位の裏面とを同一平面状としていることを特徴とするカバー材。
【発明の詳細な説明】
【技術分野】
【０００１】
本発明は、互いに交差する第１面及び第２面を有する取付対象を覆うカバー材に関する。
【背景技術】
【０００２】
従来より、既設の枠材や、巾木、廻縁等の造作材を模様替えや改装する場合には、既設の造作材等を撤去し、新たな造作材等を設置する改装工事が行われていたが、大掛かりな作業になるという問題があった。
例えば、下記特許文献１では、断面がＬ字型とされ、巾木や廻縁等の造作材を覆うカバーが提案されている。このカバーは、寸法を調節して施工可能なように、断面Ｌ字型の内面に、複数の切り溝を設けた構成とされている。
【先行技術文献】
【特許文献】
【０００３】
【特許文献１】特開２００４−１０７８７７号公報
【発明の概要】
【発明が解決しようとする課題】
【０００４】
しかしながら、上記特許文献１に記載されたカバーでは、Ｌ字型の両内面に切り溝を設けた構成としているので、Ｌ字型の各片部が、内面側が凹となるように反り易くなり、取付時に接着剤等が硬化するまで保持する必要があるなど更なる改善が望まれる。
【０００５】
本発明は、上記実情に鑑みてなされたものであり、寸法調整が容易に可能でありながらも、模様替えや改装等の作業性を向上し得るカバー材を提供することを目的としている。
【課題を解決するための手段】
【０００６】
上記目的を達成するために、本発明に係るカバー材は、取付対象の互いに交差する第１面及び第２面をそれぞれに覆う第１片部と第２片部とを備えており、これら第１片部及び第２片部の入隅側となる基端側部位よりも先側部位の裏面には、入隅から先側に向かう方向に間隔を空けてかつ溝長手方向に見て略Ｖ字溝形状とされた複数本の切断補助溝が設けられ、これら第１片部及び第２片部の前記基端側部位の厚さ寸法は、これら基端側部位の裏面に底面が平坦面とされた凹所が設けられて前記先側部位における該切断補助溝間の部位の厚さ寸法よりも小さい寸法とされていることを特徴とする。
【発明の効果】
【０００７】
本発明に係るカバー材は、上述のような構成としたことで、寸法調整が容易に可能でありながらも、模様替えや改装等の作業性を向上させることができる。
【図面の簡単な説明】
【０００８】
【図１】（ａ）は、本発明の一実施形態に係るカバー材の一例とともに枠カバーを構成する第１カバーの一例を模式的に示す概略平面図、（ｂ）は、同カバー材としての第２カバーの一例を模式的に示す一部破断概略平面図、（ｃ）は、図２のＸ部に対応させた一部破断概略拡大横断面図である。
【図２】同枠カバーを施工した状態の一例を模式的に示す一部破断概略横断面図である。
【図３】同枠カバーを施工した状態の他例を模式的に示す一部破断概略横断面図である。
【発明を実施するための形態】
【０００９】
以下に本発明の実施の形態について、図面に基づいて説明する。
なお、一部の図では、他図に付している詳細な符号の一部を省略している。
また、以下の実施形態では、本実施形態に係るカバー材を施工した状態を基準として上下方向等の方向を説明する。
【００１０】
図１〜図３は、本実施形態に係るカバー材の一例及びカバー材の施工状態の一例を模式的に示す図である。
本実施形態に係るカバー材２０は、図２に示すように、取付対象２の互いに交差する第１面４及び第２面５をそれぞれに覆う第１片部２１と第２片部３１とを備えている。
本実施形態では、カバー材２０を、取付対象としての枠材２を覆う枠カバー１を構成するものとしている。図２では、枠カバー１を、壁体に設けられる出入口等の開口を区画する既設の枠材２としての縦枠２を覆うように設けた例を示している。また、図例では、縦枠２を、開き戸が建て付けられる戸枠を構成するものとした例を示している。
【００１１】
縦枠２は、図２に示すように、固定枠とされており、いわゆるちり部が見込方向（壁厚方向に沿う方向）両側に形成されるように、枠材厚さ方向（見付方向）一方面となる反出入口側に向く見込面を、適宜の枠下地に沿わせて枠下地に取り付けられる。つまり、縦枠２は、見込寸法（壁厚方向に沿う寸法）Ｄ１が壁体の壁厚よりも大きい寸法とされている。また、図例では、縦枠２の見込方向中心と壁体の壁心（壁体の厚さ方向中心）とを壁厚方向で略一致させて縦枠２を設けた例を示している。つまり、壁体の両側の壁面７，７からの縦枠２の見込方向両端部の各突出寸法（ちり寸法）Ｄ２，Ｄ２を、互いに同寸法とした例を示している。
【００１２】
また、縦枠２の出入口側に向く見込面側に、当該縦枠２の長手方向に沿って長尺な戸当り部材６を設けた例を示している。また、図例では、この戸当り部材６を、縦枠２の出入口側に向く見込面側における見込方向中央部位に設けた例を示している。つまり、縦枠２の出入口側に向く見込面を等分するように戸当り部材６を設けた例を示している。なお、以下の枠カバー１の具体的構成の一例の説明では、枠カバー１が覆う対象を、図２に示す縦枠２としてその参照符号を付して説明しているが、枠カバー１は、後述するように種々の枠材を覆い得る構成とされている。
【００１３】
枠カバー１は、図１（ｃ）及び図２に示すように、縦枠２の一方の見込面３を覆うように配される見込片部１１及び縦枠２の一方の見付面５を覆うように配される見付片部１４を有した第１カバー１０を備えている。
本実施形態では、本実施形態に係るカバー材２０としての第２カバー２０の第１片部２１を、第１面としての他方の見込面４を覆うように配される見込片部２１としている。また、この第２カバー２０の第２片部３１を、第２面としての見付面５を覆うように配される第１カバー１０の見付片部１４を覆うように配される見付片部３１としている。
枠カバー１は、上記のように壁体及び戸当り部材６によって見込方向に分断された縦枠２の見込方向両側のうちのいずれか一方の表面３，４，５を覆う構成とされている。つまり、それぞれに第１カバー１０，１０と第２カバー２０，２０とを備えた２組の枠カバー１，１によって縦枠２の見込方向両側の表面３，４，５，３，４，５を覆う構成としている。なお、これら見込方向両側の枠カバー１，１を、互いに同様の構成としているので、以下では、一方の枠カバー１を例にとって説明する。
【００１４】
また、第１カバー１０は、その見込片部１１が壁面７から突出するちり部の反出入口側に向く一方の見込面としての壁体側面３を覆う構成とされている。つまり、本実施形態では、第２カバー２０を、その見込片部２１が戸当り部材６によって分断された見込方向いずれか一方側における出入口側に向く他方の見込面としての出入口側面４を覆う構成としている。また、これら見込片部１１，２１によって覆われる壁体側面３及び出入口側面４に連なる見込方向いずれか一方側の見付面５を覆うように第１カバー１０の見付片部１４が配され、この見付片部１４を覆うように第２カバー２０の見付片部３１が配される。つまり、本実施形態では、第２カバー２０の見付片部３１は、第１カバー１０の見付片部１４を介して第２面としての見付面５を覆う構成とされている。
【００１５】
これら第１カバー１０及び第２カバー２０は、縦枠２の長手方向（上下方向）に沿って長尺状とされ、全長に亘って一様な断面形状とされている。また、これら第１カバー１０及び第２カバー２０は、縦枠２の長さ寸法に応じた長さ寸法とされている。なお、これら第１カバー１０及び第２カバー２０は、適宜、施工現場等において縦枠２の長さ寸法に応じた長さに切断等されて長さ調整されるものとしてもよい。
また、これら第１カバー１０及び第２カバー２０のそれぞれの見込片部１１，２１及び見付片部１４，３１は、薄板状とされ、それぞれの見込片部１１，２１と見付片部１４，３１とを略直交状に設けた構成とされている。つまり、これら第１カバー１０及び第２カバー２０は、長手方向に見て略Ｌ字状とされている。
【００１６】
第１カバー１０の見込片部１１は、図１（ａ）、（ｃ）に示すように、本実施形態では、切断によって見込方向に沿う寸法の調整が可能とされている。本実施形態では、見込片部１１の壁体側面３に対面される裏面１２に、見込方向に間隔を空けて複数本の切断補助溝１３を設けた構成としている。このような構成とすれば、第１カバー１０の見込片部１１を切断補助溝１３に沿って切断することで、第１カバー１０の見込片部１１の見込方向に沿う寸法を、容易に調整することができる。
これら切断補助溝１３は、第１カバー１０の長手方向に延びるように設けられ、第１カバー１０の全長に亘って設けられている。また、これら切断補助溝１３は、見込片部１１の裏面１２に、見込方向に等間隔を空けて設けられている。図例では、見込片部１１の見付片部１４側の端部（基端部）から先端部を除いた裏面１２の概ね全体に亘って複数本の切断補助溝１３を設けた例を示している。なお、このような態様に代えて、見込片部１１の裏面１２の先端側部位のみに複数本の切断補助溝１３を設けるようにしてもよい。
【００１７】
これら切断補助溝１３を設けるピッチ（隣り合う切断補助溝１３同士の溝幅方向中心間寸法）は、成形性や切断する際の作業性、寸法調整の度合等の観点から適宜、設定するようにしてもよい。例えば、上記ピッチを、０．５ｍｍ〜５ｍｍ程度、好ましくは、０．５ｍｍ〜２ｍｍ程度としてもよい。また、これら切断補助溝１３の溝深さ寸法は、切断する際の作業性や見込片部１１の強度上の観点、縦枠２に取り付けた状態における見栄え上の観点等から適宜、設定するようにしてもよい。例えば、切断補助溝１３の溝深さ寸法を、０．３ｍｍ〜２ｍｍ程度、好ましくは、０．５ｍｍ〜１ｍｍ程度としてもよい。また、上記のような観点等から、見込片部１１の切断補助溝１３が設けられた部位の溝底側に残存する部位の厚さ寸法を、０．３ｍｍ〜２ｍｍ程度、好ましくは、０．５ｍｍ〜１ｍｍ程度としてもよい。つまり、見込片部１１の厚さ寸法（切断補助溝１３が形成された部位における切断補助溝１３間の部位の厚さ寸法）を、０．６ｍｍ〜４ｍｍ程度、好ましくは、１ｍｍ〜２ｍｍ程度としてもよい。
【００１８】
また、図例では、切断補助溝１３を、溝長手方向に見て、略Ｖ字溝形状としているが、このような態様に限られず、略Ｕ字溝形状や略コ字溝形状、略逆台形状等としてもよい。また、図例では、切断補助溝１３が形成された部位における切断補助溝１３間の裏面を、平坦面としている。このような構成とすれば、当該第１カバー１０を縦枠２に固定（仮固定）する粘着テープ等の粘着材を裏面に安定的に貼着することができる。この平坦面の幅寸法（溝幅方向に沿う寸法）は、切断補助溝１３の溝形状やピッチに応じて、また、取付対象面への取付安定性の観点等から適宜、設定するようにしてもよく、例えば、０．２ｍｍ〜１．５ｍｍ程度としてもよい。なお、このような態様に代えて、切断補助溝１３間の裏面側部位を、尖頭形状としたり、突湾曲面形状としたりしてもよい。
また、見込片部１１の見込方向に沿う寸法は、一般的に施工される縦枠２のうちの比較的にちり寸法Ｄ２が大きい寸法とされたものの壁体側面３を覆い得る寸法としてもよい。
この見込片部１１は、縦枠２のちり寸法Ｄ２に応じた見込寸法となるように切断補助溝１３に沿ってカッター等の切断具８によって切断され（図１（ａ）参照）、その先端部を壁面７に当接または近接させ、裏面１２を壁体側面３に沿わせて配される。
【００１９】
第１カバー１０の見付片部１４は、本実施形態では、見付面５に対面される裏面１５が平坦面とされた薄平板状とされている。この見付片部１４の厚さ寸法は、見込片部１１の厚さ寸法と略同寸法とされている。また、この見付片部１４の枠材厚さ方向に沿う寸法は、種々の厚さ寸法Ｗ１とされた縦枠２に適用可能なように、一般的に施工される縦枠２のうちの比較的に厚さ寸法Ｗ１が小さい寸法とされたものよりも小さい寸法とされている。つまり、見付片部１４は、見付面５の壁体側面３側から途中部位までを覆う構成とされている。なお、このような態様に代えて、見付片部１４の枠材厚さ方向に沿う寸法を比較的に大きくし、この見付片部１４の裏面１５に、上記同様の切断補助溝を設けた構成としてもよい。
【００２０】
また、第１カバー１０における見込片部１１と見付片部１４との出隅部には、第２カバー２０の見付片部３１の先端部が突き合わせられる突出部１６が見込方向に突出するように設けられている。このような構成とすれば、第２カバー２０の見付片部３１の先端部を第１カバー１０の突出部１６に突き合わせることで、第２カバー２０の見付片部３１への引っ掛かり等に起因する剥がれ等を抑制することができ、脱離を抑制することができる。また、第１カバー１０の突出部１６を、第１カバー１０における見込片部１１と見付片部１４との出隅部に設けているので、見付方向途中部位において段差が形成されるようなものと比べて、カバー同士の継目を目立ち難くすることができ、見栄えを向上させることができる。
【００２１】
この突出部１６は、壁厚方向外方側に向けて突出するように設けられており、当該第１カバー１０の全長に亘って設けられている。また、この突出部１６は、枠材厚さ方向に沿う方向で反出入口側に向く面が見込片部１１の枠材厚さ方向に沿う方向で反出入口側に向く面（表面）と同一平面状（面一状）となるように、見込片部１１と見付片部１４との出隅部にこれらに一連状に形成されている。また、この突出部１６の枠材厚さ方向に沿う方向で出入口側に向く面は、突出部１６の上記反出入口側に向く面と平行状とされている。また、この突出部１６の突出方向先端面は、見付片部１４の枠材見込方向外方側に向く面（表面）と平行状とされている。つまり、この突出部１６は、長手方向に見て略矩形状とされている。
【００２２】
また、本実施形態では、この突出部１６の突出寸法（枠材見込方向に沿う寸法）を、後記する第２カバー２０の見付片部３１の厚さ寸法よりも大きい寸法としている。このような構成とすれば、第２カバー２０の見付片部３１の先端部の露出を効果的に抑制することができる。
この突出部１６の突出寸法は、出入口側に向く面に突き合わせられる第２カバー２０の見付片部３１の先端面を目立ち難くする観点や、見付片部３１との段差を小さくする観点等から適宜、設定するようにしてもよい。例えば、この突出部１６の突出寸法を、第２カバー２０の見付片部３１の厚さ寸法の２倍未満としてもよく、好ましくは、見付片部３１の厚さ寸法の１．１〜１．５倍程度としてもよい。
また、図例では、突出部１６の厚さ寸法（枠材厚さ方向に沿う寸法）を、見込片部１１の厚さ寸法と略同寸法とした例を示している。
なお、この突出部１６は、出入口側に向く面に第２カバー２０の見付片部３１の先端面が突き合わせられるように出入口側に向く面を平坦面とすればよく、反出入口側に向く面と先端面との出隅部を、適宜の面取り形状等としてもよい。
【００２３】
第２カバー２０の見込片部２１は、図１（ｂ）、（ｃ）に示すように、第１カバー１０の見込片部１１と概ね同様、切断によって見込方向に沿う寸法の調整が可能とされている。
この見込片部２１は、見付片部３１との入隅側となる基端側部位２５よりも先側部位２２の裏面（出入口側面４に対面される面）２３に、見込方向（入隅から先側に向かう方向）に間隔を空けて複数本の切断補助溝２４を設けた構成とされている。
これら切断補助溝２４は、第１カバー１０の見込片部１１の切断補助溝１３と同様の構成とされ、第２カバー２０の長手方向に延びるように設けられ、第２カバー２０の全長に亘って設けられている。また、上記と同様、切断補助溝２４が形成された先側部位２２における切断補助溝２４間の裏面２３を、平坦面としている。また、図例では、見込片部２１の先側部位２２の先端部の裏面２３には、切断補助溝２４を設けていない例を示しているが、先側部位２２の裏面２３の全体に亘って複数本の切断補助溝２４を設けるようにしてもよい。
【００２４】
この先側部位２２における切断補助溝２４間の部位（先側部位２２自体）の厚さ寸法は、上記した第１カバー１０の各片部１１，１４の厚さ寸法と略同寸法とされている。
また、見込片部２１の基端側部位２５の厚さ寸法を、先側部位２２の厚さ寸法よりも小さい寸法としている。
また、本実施形態では、見込片部２１の基端部に、基端側部位２５の厚さ寸法よりも厚さ寸法が大とされたコーナー部位２７を設けている。
また、本実施形態では、見込片部２１の切断補助溝２４間の部位の裏面、つまり先側部位２２の裏面２３とコーナー部位２７の裏面２８とを同一平面状としている。
【００２５】
見込片部２１の基端側部位２５は、全体に亘って一様な厚さとされた薄平板状とされている。また、本実施形態では、基端側部位２５の表面（出入口側に向く面）と先側部位２２及びコーナー部位２７の表面（出入口側に向く面）とを、同一平面状（面一状）としている。つまり、基端側部位２５の裏面側に凹所２６を設け、基端側部位２５の厚さ寸法を、先側部位２２の厚さ寸法よりも小さい寸法としている。この凹所２６は、出入口側面４側に向けて開口するように、かつ第２カバー２０の全長に亘って長手方向に延びるように設けられている。また、この凹所２６の底面は、平坦面とされている。
【００２６】
この基端側部位２５の厚さ寸法は、切断補助溝２４を設けたことに起因する反りを抑制する観点や強度上の観点等から適宜、設定するようにしてもよい。例えば、基端側部位２５の厚さ寸法を、先側部位２２の厚さ寸法の１／５〜４／５程度の寸法としてもよく、好ましくは、１／３〜２／３程度としてもよい。図例では、基端側部位２５の厚さ寸法を、先側部位２２の厚さ寸法の１／２程度の寸法とし、切断補助溝２４が設けられた部位の溝底側に残存する部位の厚さ寸法と略同寸法とした例を示している。
また、基端側部位２５の見込方向に沿う寸法も、上記同様な観点等から適宜、設定するようにしてもよく、本実施形態では、先側部位２２の見込方向に沿う寸法よりも小さい寸法としている。例えば、基端側部位２５の見込方向に沿う寸法を、２ｍｍ〜２０ｍｍ程度、好ましくは、５ｍｍ〜１０ｍｍ程度としてもよい。
【００２７】
見込片部２１のコーナー部位２７は、全体に亘って一様な厚さとされた薄平板状とされており、本実施形態では、その厚さ寸法が先側部位２２の厚さ寸法と略同寸法とされている。このコーナー部位２７の裏面２８は、平坦面とされている。
また、このコーナー部位２７の見込方向に沿う寸法は、強度上の観点等から適宜、設定するようにしてもよく、２ｍｍ〜２０ｍｍ程度、好ましくは、２ｍｍ〜１０ｍｍ程度としてもよい。図例では、コーナー部位２７の見込方向に沿う寸法を、基端側部位２５の見込方向に沿う寸法と略同寸法とした例を示している。
【００２８】
上記構成とされた見込片部２１全体の見込方向に沿う寸法は、一般的に施工される縦枠２のうちの比較的に見込寸法Ｄ１が大きい寸法とされたものの出入口側面４を覆い得る寸法としてもよい。
この見込片部２１は、縦枠２の出入口側面４の見込寸法（戸当り部材６の見込方向一方側面から見込方向一方側の見付面５までの見込方向に沿う寸法）に応じた見込寸法となるように切断補助溝２４に沿ってカッター等の切断具８によって切断される（図１（ｂ）参照）。また、見込片部２１は、裏面２３，２８を出入口側面４に沿わせて配される。また、図例では、寸法調整された見込片部２１の先端部を戸当り部材６に当接または近接させて配されるものとした例を示している。
【００２９】
第２カバー２０の見付片部３１は、図１（ｂ）、（ｃ）に示すように、見込片部２１と同様、切断によって枠材厚さ方向に沿う寸法の調整が可能とされている。
この見付片部３１は、見込片部２１と概ね同様、見込片部２１との入隅側となる基端側部位３５よりも先側部位３２の裏面（見付面５に向く面）３３に、枠材厚さ方向（入隅から先側に向かう方向）に間隔を空けて複数本の切断補助溝３４を設けた構成とされている。
これら切断補助溝３４は、上記同様の構成とされ、第２カバー２０の長手方向に延びるように設けられ、第２カバー２０の全長に亘って設けられている。また、上記と同様、切断補助溝３４が形成された先側部位３２における切断補助溝３４間の裏面３３を、平坦面としている。また、図例では、見付片部３１の先側部位３２の裏面３３の全体に亘って複数本の切断補助溝３４を設けた例を示しているが、先端部の裏面３３には、切断補助溝３４を設けないようにしてもよい。
【００３０】
この見付片部３１の先側部位３２における切断補助溝３４間の部位（先側部位３２自体）の厚さ寸法は、見込片部２１の先側部位２２の厚さ寸法と略同寸法とされている。
また、見付片部３１の基端側部位３５の厚さ寸法を、見込片部２１と同様、先側部位３２の厚さ寸法よりも小さい寸法としている。また、見込片部２１と同様、見付片部３１の基端部に、基端側部位３５の厚さ寸法よりも厚さ寸法が大とされたコーナー部位３７を設けている。また、見込片部２１と同様、見付片部３１の切断補助溝３４間の部位の裏面、つまり先側部位３２の裏面３３とコーナー部位３７の裏面３８とを同一平面状としている。
この見付片部３１の基端側部位３５及びコーナー部位３７は、見込片部２１の基端側部位２５及びコーナー部位２７と同様の構成とされている。つまり、基端側部位３５の裏面側に上記と概ね同様の凹所３６を設け、基端側部位３５の表面と先側部位３２及びコーナー部位３７の表面とを、同一平面状（面一状）としている。また、これら基端側部位３５及びコーナー部位３７の厚さ寸法及び枠材厚さ方向に沿う寸法を、見込片部２１の基端側部位２５及びコーナー部位２７の厚さ寸法及び見込方向に沿う寸法と略同寸法としている。
【００３１】
上記構成とされた見付片部３１全体の枠材厚さ方向に沿う寸法は、一般的に施工される縦枠２のうちの比較的に厚さ寸法Ｗ１が大きい寸法とされたものの見付面５を覆うように配された第１カバー１０の見付片部１４を覆い得る寸法としてもよい。つまり、上記のように突出部１６の厚さ寸法を見込片部１１の厚さ寸法と略同寸法とした場合には、見付片部３１の枠材厚さ方向に沿う寸法を、一般的に施工される縦枠２のうちの比較的に大とされた厚さ寸法Ｗ１に応じた寸法としてもよい。
この見付片部３１は、縦枠２の出入口側面４から第１カバー１０の突出部１６の出入口側に向く面までの枠材厚さ方向に沿う寸法に応じた枠材厚さ方向に沿う寸法となるように切断補助溝３４に沿ってカッター等の切断具８によって切断される（図１（ｂ）参照）。また、このように寸法調整された見付片部３１は、その先端部を突出部１６に当接または近接させ、裏面３３（，３８）を第１カバー１０の見付片部１４の表面に沿わせて配される。
【００３２】
また、縦枠２の出入口側面４と見付面５との出隅部に面取り部が設けられている場合には、この面取り部に対応させて、これら見込片部２１と見付片部３１との出隅部にも面取り部を設けるようにしてもよい。この場合は、面取り部を構成する片部の一部または全体を、各片部２１，３１のコーナー部位２７，３７として把握するようにしてもよい。
また、第１カバー１０及び第２カバー２０は、合成樹脂系材料や、木質系材料、金属系材料等から形成されたものとしてもよい。また、第１カバー１０及び第２カバー２０は、例えば、合成樹脂系材料に、木粉や無機フィラー、相溶化剤、着色剤などを所定の含有割合で含有させた木粉（木質）・プラスチック複合材（ＷＰＣ）から形成されたものとしてもよい。
また、これら第１カバー１０及び第２カバー２０は、粘着テープ等の粘着材や接着剤等によって縦枠２に固定されるものとしてもよい。
また、これら第１カバー１０及び第２カバー２０における少なくとも縦枠２に取り付けられた状態で露出する表面を、突板や合成樹脂シート等の貼着や、塗装等によって表面化粧処理が施された化粧面としてもよい。
【００３３】
次に、上記構成とされた枠カバー１の施工方法の一例及び施工した状態の一例を、図２及び図３を参照して説明する。
なお、図３では、図２に示す縦枠２の見込寸法Ｄ１よりも見込寸法Ｄ３が大とされ、図２に示す縦枠２のちり寸法Ｄ２よりもちり寸法Ｄ４が小とされ、図２に示す縦枠２の厚さ寸法Ｗ１よりも厚さ寸法Ｗ２が大とされた縦枠２Ａを例示している。
まず、第１カバー１０の見込片部１１の見込寸法を、縦枠２，２Ａのちり寸法Ｄ２，Ｄ４に応じた寸法となるように切断して調整する。そして、この第１カバー１０の見込片部１１と見付片部１４との入隅部を、縦枠２，２Ａの壁体側面３，３Ａと見付面５，５Ａとの出隅部に沿わせるようにして第１カバー１０を縦枠２，２Ａに固定する。この際、第１カバー１０の各片部１１，１４の先端部の裏面１２，１５を粘着テープ等によって仮固定し、各片部１１，１４の基端側部位の裏面１２，１５に塗布された接着剤によって第１カバー１０を縦枠２，２Ａに固定するようにしてもよい。このように第１カバー１０が縦枠２，２Ａに取り付けられた状態では、第１カバー１０の見込片部１１の先端部が壁面７に近接または当接した状態となる。
【００３４】
また、第２カバー２０の見込片部２１の見込寸法を、縦枠２，２Ａの出入口側面４，４Ａの見込寸法に応じた寸法となるように切断して調整する。また、第２カバー２０の見付片部３１の枠材厚さ方向に沿う寸法を、縦枠２，２Ａの出入口側面４，４Ａから第１カバー１０の突出部１６の出入口側に向く面までの枠材厚さ方向に沿う寸法に応じた寸法となるように切断して調整する。そして、この第２カバー２０の見込片部２１のコーナー部位２７と見付片部３１のコーナー部位３７との入隅部を、縦枠２，２Ａの出入口側面４，４Ａと見付面５，５Ａとの出隅部に沿わせるようにして第２カバー２０を縦枠２，２Ａに固定する。この際、第２カバー２０の各片部２１，３１の先側部位２２，３２の裏面２３，３３を粘着テープ等によって仮固定し、各片部２１，３１の基端側やコーナー部位２７，３７の裏面２８，３８に塗布された接着剤によって第２カバー２０を第１カバー１０及び縦枠２，２Ａに固定するようにしてもよい。なお、コーナー部位２７，３７の裏面２８，３８も粘着テープ等によって仮固定するようにしてもよい。
このように取り付ければ、第２カバー２０の見込片部２１の先端部が戸当り部材６に近接または当接し、また、見付片部３１が第１カバー１０の見付片部１４に重ね合わせられ、この見付片部３１の先端部が第１カバー１０の突出部１６に近接または当接した状態となる。
【００３５】
なお、縦枠２，２Ａに、蝶番等の回動連結部材や、ラッチ受け、錠装置等が取り付けられている場合には、これらに枠カバー１が干渉しないように、枠カバー１に、適宜、切欠きや開口等を設けるようにしてもよい。
また、上記した例では、第２カバー２０の見込片部２１の先端部を、戸当り部材６に近接または当接させた例を示しているが、このような態様に限られない。例えば、戸当り部材６も模様替えや改装等の対象とする場合には、既設の戸当り部材６を覆う略コ字状のカバーを設け、このカバーの一片部によって第２カバー２０の見込片部２１の先端部を押さえるように納めるような態様等としてもよい。または、既設の戸当り部材６を除去し、新たに設置される戸当り部材の一側部によって第２カバー２０の見込片部２１の先端部を押さえるように納めるような態様等としてもよい。
【００３６】
本実施形態に係るカバー材としての第２カバー２０は、上述のような構成としたことで、寸法調整が容易に可能でありながらも、模様替えや改装等の作業性を向上させることができる。
つまり、取付対象としての縦枠２，２Ａの互いに交差する第１面（出入口側面）４及び第２面（見付面）５をそれぞれに覆う第１片部（見込片部）２１と第２片部（見付片部）３１とを備えた構成としている。従って、第２カバー２０によって既設の造作材等の表面４，５を覆うことができ、例えば、既設の造作材を撤去して改装工事等をする場合と比べて、模様替えや改装等の作業性を向上させることができる。
また、これら見込片部２１及び見付片部３１の入隅側となる基端側部位２５，３５よりも先側部位２２，３２の裏面２３，３３に、入隅から先側に向かう方向に間隔を空けて複数本の切断補助溝２４，３４を設けている。従って、各片部２１，３１を切断補助溝２４，３４に沿って切断することで、各片部２１，３１の入隅から先側に向かう方向に沿う寸法を、容易に調整することができる。これにより、種々の寸法とされた既設の造作材等に対して容易に適用することができ、汎用性を向上させることができる。
【００３７】
また、これら見込片部２１及び見付片部３１の基端側部位２５，３５の厚さ寸法を、先側部位２２，３２における切断補助溝２４，３４間の部位の厚さ寸法よりも小さい寸法としている。従って、各片部２１，３１の薄板状とされた基端側部位２５，３５によって各片部２１，３１の反りを低減することができる。これにより、第２カバー２０を取付対象としての縦枠２，２Ａに、粘着材等によって仮固定して取り付ける際に、反りによる脱離を防止すべく接着剤が硬化するまで保持する必要があるようなものと比べて、作業性を向上させることができる。
【００３８】
また、本実施形態では、見込片部２１及び見付片部３１の各基端部に、基端側部位２５，３５の厚さ寸法よりも厚さ寸法が大とされたコーナー部位２７，３７を設けている。従って、各片部２１，３１の基端側部位２５，３５を薄くして反りを抑制可能でありながらも、第２カバー２０の角部の強度を向上させることができる。
また、本実施形態では、見込片部２１及び見付片部３１のそれぞれにおける切断補助溝２４，３４間の部位の裏面２３，３３とコーナー部位２７，３７の裏面２８，３８とを同一平面状としている。従って、コーナー部位２７，３７が取付対象面に対面されるような場合には、第２カバー２０の角部の裏面２８，３８側を安定的に取付対象面に固定することができる。なお、このような態様に代えて、コーナー部位２７，３７の裏面２８，３８を、見込片部２１及び見付片部３１のそれぞれにおける切断補助溝２４，３４間の部位の裏面２３，３３と異なる平面状としてもよい。さらには、このようなコーナー部位２７，３７を設けずに、薄板状とされた基端側部位２５，３５を、各片部２１，３１の入隅に至るまで設けるようにしてもよい。
【００３９】
なお、上記した例では、第１カバー１０が縦枠２，２Ａの壁体側面３，３Ａを覆い、第２カバー２０が縦枠２，２Ａの出入口側面４，４Ａを覆う構成とした例を示しているが、これとは逆としてもよい。つまり、突出部１６が枠材厚さ方向における出入口（開口）側の出隅部に位置するような構成としてもよい。この場合は、各カバー１０，２０の見込片部１１，２１の見込寸法等を、適宜、変形するようにしてもよい。
また、第１カバー１０の見込片部１１及び見付片部１４にも、第２カバー２０と同様な薄板状の基端側部位や、さらにはコーナー部位を設けるようにしてもよい。換言すれば、第１カバー１０を、本実施形態に係るカバー材として把握するようにしてもよい。
【００４０】
また、上記した例では、枠カバー１を、左右方向一方の縦枠２，２Ａに取り付けたような例を示しているが、左右一対のそれぞれの縦枠２，２Ａに取り付けるようにしてもよい。また、枠カバー１によって覆われる枠材としては、縦枠２，２Ａに限られず、縦枠２，２Ａに代えて、または加えて、上枠や下枠等の横枠としてもよい。この場合は、縦枠を覆う枠カバー１の長手方向端部と横枠を覆う枠カバー１の長手方向端部とを、例えば、留め継ぎ状や平継ぎ状に突き合わせるようにして納めるようにしてもよい。これらの場合は、適宜、枠カバー１の長手方向端部を切断等によって変形するようにしてもよい。
【００４１】
また、上記した例では、戸当り部材６を、縦枠２，２Ａの見込方向中央部位に設け、見込方向両側の出入口側面４，４Ａの見込寸法を同寸法とした例を示しているが、このような態様に限られない。例えば、戸当り部材６を、縦枠２，２Ａの見込方向一方側に寄った部位に設けるようにしてもよい。この場合は、出入口側面４，４Ａを覆うカバー２０（１０）の見込片部２１（１１）の見込寸法等を、適宜、変形するようにしてもよい。
また、上記した例では、枠材２，２Ａを、開き戸が建て付けられる戸枠を構成するものとした例を示しているが、このような態様に限られず、折戸や引戸等の他の建具が建て付けられる戸枠を構成するものとしてもよい。また、枠材２，２Ａとしては、戸枠を構成するものに限られず、窓枠や無目枠等を構成するものとしてもよい。例えば、既設の枠材２，２Ａを、窓枠を構成するものとした場合は、枠カバー１を、窓枠の見込方向一方側のみに設けるようにしてもよい。
【００４２】
また、本実施形態では、カバー材２０を、第１カバー１０とによって枠カバー１を構成するものとした例を示しているが、このような態様に限られない。例えば、カバー材２０を、巾木や廻縁等の造作材や、その他、種々の取付対象２における互いに交差する第１面及び第２面を覆う構成とされたものとしてもよい。この場合は、カバー材２０の第１片部２１及び第２片部３１の各寸法を、適宜、必要に応じて変形するようにしてもよい。
【符号の説明】
【００４３】
２０      第２カバー（カバー材）
２１      見込片部（第１片部）
２２      先側部位
２３      裏面
２４      切断補助溝
２５      基端側部位
２７      コーナー部位
２８      裏面
３１      見付片部（第２片部）
３２      先側部位
３３      裏面
３４      切断補助溝
３５      基端側部位
３７      コーナー部位
３８      裏面
２，２Ａ  縦枠（取付対象）
４，４Ａ  出入口側面（第１面）
５，５Ａ  見付面（第２面）
【図１】
0006406626.tif 000002
【図２】
0006406626.tif 000003
【図３】
0006406626.tif 000004